(57)【特許請求の範囲】
【請求項１】
電極セットであって、
接続部を有するベースと、導電性の付勢機構と、開口部とを有するベース部分であって、更に上部カバーと、歯を備えた基底部とを有し、前記歯を備えた前記基底部は、前記ベースを貫通し、前記基底部と上部カバーとの間に付勢機構を収容し、前記歯を用いて自身を上部カバーに固定するベース部分と、
キャップ部、および、前記キャップ部に結合されて保持頂部を有するポスト部を有する導電性の電極と
を備え、
前記電極は、前記ベースの前記開口部内に挿入され、前記保持頂部によって前記ベース内に取り外し可能に保持され、かつ前記ベースの前記開口部内で旋回可能かつ回転可能であり、前記電極は、前記ベースから離れるように付勢され、該電極はユーザの皮膚に押しつけられて接触され、
前記電極によって検出された信号は、前記導電性の電極および前記導電性の付勢機構を通って前記接続部に至る
電極セット。
【請求項２】
請求項１に記載の電極セットであって、前記導電性の電極は交換可能である電極セット。
【請求項３】
請求項１に記載の電極セットであって、前記導電性の付勢機構は、さらに、バネを備える電極セット。
【請求項４】
請求項３に記載の電極セットであって、前記ベース部分は、さらに、互いに結合された基底部、回路セット、および、上部カバーを備える電極セット。
【請求項５】
請求項１記載の電極セットであって、
前記上部カバーが開口部を有し、前記上部カバーは、前記電極と前記ベースとの間に介装され、
前記電極は、前記ベース部の前記開口部と前記上部カバーの前記開口部とに挿入され、
前記電極は、前記保持頂部と前記上部カバーの前記開口部との結合によって、ベース内に取り外し可能に保持される
電極セット。
【請求項６】
請求項１記載の電極セットであって、
前記ポスト部は、前記キャップ部の中央から所定距離だけ延出され、
前記保持頂部は、前記ポスト部の先端に設けられ、前記ポスト部の外径より大きな外径を有する
電極セット。
【請求項７】
前記電極はボタン型である請求項１記載の電極セット。
【発明の詳細な説明】
【技術分野】
【０００１】
本装置は、一般に、皮膚接触のための乾式電極に関する。
【背景技術】
【０００２】
電極は、一般に、周知であり、脳波などの人体の電気信号を測定するために利用可能な電極である。脳波測定のために近年用いられている電極は、ジェルを用いる湿式電極または針電極である必要があるため、周知の電極のほとんどは、頭部に対する特別な処置を必要とする。したがって、乾式電極を提供することが望ましく、本発明は、この課題に向けたものである。
【図面の簡単な説明】
【０００３】
【図１】乾式電極セットの分解組立図。
【図２】乾式電極セットの分解組立図。
【図３】組み立て済みの電極セットを示す図。
【発明を実施するための形態】
【０００４】
本電極は、特に、以下で説明するように皮膚に表面電極を取り付けるための電極構造に適用可能であり、これに関連して、電極セットを説明する。しかしながら、電極セットは、以下に記載するもの以外にも、ここに開示する電極セットの範囲内で、異なる要素を有するように組み立てまたは製造することが可能であるため、より広い利用可能性を有することを理解されたい。
【０００５】
図１および図２は、乾式電極セット２０の分解組立図である。電極セットは、ベース部分２１および電極２２を含む２つの分離可能な部品を備えてよく、ベース部分および電極は、電極の交換などのために、互いから分離されることができる。ベース部分は、さらに、上部カバー２４と、付勢機構２６（バネなど）と、ベース２８と、基底部３０とを備えてよい。基底部３０は、ベース２８を貫通する歯を備えており、基底部と上部カバー２４との間に付勢機構を収容すると共に、（歯を用いて）自身を上部カバーに固定する。基底部３０および上部カバー２４は、金属または任意の導電材料から形成されてよい。
【０００６】
図２に示すように、電極２２は、取り外しと交換が可能であり、さらに、電極キャップ部４０と、保持頂部４３を有する電極ポスト部４２とを備えてよい。電極ポスト部４２は、付勢機構２６に当たるように上部カバー２４内に圧入されてよく、それにより、電極がベース２８から離れる方向に付勢され、保持頂部４３が上部カバーに向かって押しつけられる。ベース２８から離れるように電極を付勢することは、電極セットが組み立てられると、ユーザに向かって押され、バネによってユーザの皮膚との接触が維持されることを意味する。
【０００７】
電極は、銀塩化銀表面電極もしくは銀または金メッキ表面電極であってよいボタン型電極であってよい。ボタン型電極は、乾式または湿式電極であってよい。動作時、電極によって測定された信号に基づいて発生した電流は、後に詳述するように、電極（導電性）および付勢機構（金属または導電性であってよい）を通って接続部５２に至る。電極セット２０において、電極２２は、異なる圧力をユーザの皮膚に掛けることができるように、１または複数の異なる長さの電極ポスト部４２を有してよい。
【０００８】
また、図２に示すように、ベース２８は、さらに、回路セット５０（プリント回路基板上の複数の回路など）と、電極によって検出された生体信号を処理できるように、電極セット内の回路セットをバイオアンプ（図示せず）に接続する接続部５２（ワイヤなど）とを備えてよい。回路セットは、バイオアンプ、導電材料、および、配線のためのピンに電極を接続するための回路をベース上に備えてよく、利用可能な場合には、１または複数のＡＳＩＣチップをベースに実装することができる。
【０００９】
図３は、電極２２、上部カバー２４、ベース２８、および、基底部３０が露出した組み立て済みの電極セット２０を示す。図に示すように組み立てられると、電極２２は、ベース２８から離れる方向に付勢され、その時、電極を置く皮膚の形状に対応して、任意の方向に旋回すると共に回転することができる。また、付勢機構（図３では図示せず）は縮むが、ユーザの皮膚を圧迫する関係に電極セットを維持しうるため、ベース２８から離れる方向に電極を付勢することにより、組み立て済みの電極セット２０は、ユーザの皮膚に向かってぴったり合うように押しつけられることができる。
【００１０】
以上、本発明の特定の実施形態を参照しつつ説明を行ったが、本発明の原理および精神から逸脱することなく、本実施形態の変形が可能であることは、当業者にとって明らかであり、本発明の範囲は、特許請求の範囲によって規定される。また、本発明は、以下の形態によっても実施可能である。
［適用例１］
電極セットであって、
導電性の付勢機構と、開口部と、接続部とを有するベースと、
キャップ部、および、前記キャップ部に結合されて保持頂部を有するポスト部を有する導電性の電極と
を備え、
前記電極は、前記ベースの前記開口部内に挿入され、前記保持頂部によって前記ベース内に取り外し可能に保持され、かつ前記ベースの前記開口部内で旋回可能かつ回転可能であり、
前記電極によって検出された信号は、前記導電性の電極および前記導電性の付勢機構を通って前記接続部に至る
電極セット。
［適用例２］
請求項１に記載の電極セットであって、前記導電性の電極は交換可能である電極セット。
［適用例３］
請求項１に記載の電極セットであって、前記導電性の付勢機構は、さらに、バネを備える電極セット。
［適用例４］
請求項３に記載の電極セットであって、前記ベースは、さらに、互いに結合された基底部、回路セット、および、上部カバーを備える電極セット。
【図１】
0005536040.tif 000002
【図２】
0005536040.tif 000003
【図３】
0005536040.tif 000004